(57)【要約】      （修正有）【課題】遠方の空気に含まれる粒子状物質の濃度をより精度良く、かつ、応答性良く検出できるようにする。【解決手段】車室内に送風される空気が流れる空調ケース１０１、１４０、１５０の内部に空気を吸い込む送風機１３０と、粒子濃度を検出する粒子検知部２００と、を備える。粒子検知部２００は、発光部と受光部を収納するセンサケースを有する。センサケースには、送風機１３０の作動によって空調ケースの内部に吸い込まれる空気の一部をセンサケースの内部に導入するセンサ導入口が形成されている。【選択図】図６
2020100209.tif 000002
【特許請求の範囲】
【請求項１】
車両用空調装置であって、
車室内に送風される空気が流れる空気通路を形成する空調ケース（１０１、１４０、１５０）と、
前記空調ケースの内部に配置され、前記空調ケースの内部に前記空気を吸い込む送風機（１３０）と、
前記空気に含まれる粒子状物質の粒子濃度を検出する粒子検知部（２００）と、を備え、
前記粒子検知部は、
前記空気に光を照射する発光部（２１０）と、
前記発光部が照射した光が前記粒子状物質に当たって散乱した散乱光を受光する受光部（２２０）と、
前記発光部および前記受光部を収納するセンサケース（２３０）を有し、
前記センサケースには、前記送風機の作動によって前記空調ケースの内部に吸い込まれる前記空気の一部を前記センサケースの内部に導入するセンサ導入口（２３１）が形成されている車両用空調装置。
【請求項２】
前記粒子検知部は、前記空調ケースの内部に吸い込まれる前記空気の一部を前記センサ導入口を介して前記センサケースの内部に吸い込むセンサブロワ（２４０）を有している請求項１に記載の車両用空調装置。
【請求項３】
前記センサブロワは、前記センサケースの内部に配置されている請求項２に記載の車両用空調装置。
【請求項４】
前記空調ケースのうち前記センサケースが取り付けられる部分には、前記空調ケースの外側から前記空調ケースの内部に導入される前記空気が流れる空間である空気導入室（１６０）が形成されており、
前記センサブロワは、前記空気導入室を流れる前記空気の一部を前記センサケースの内部に吸い込む請求項２または３に記載の車両用空調装置。
【請求項５】
前記送風機の送風風量が閾値以上であるか否かを判定する風量判定部（Ｓ１００）と、
前記風量判定部により前記送風機の送風風量が閾値以上であると判定された場合、前記センサブロワの吸い込み風量を低下させ、前記風量判定部により前記送風機の送風風量が閾値未満であると判定された場合、前記センサブロワの吸い込み風量を増加させる風量調整部（Ｓ１０２、Ｓ１０４）と、を備えた請求項２ないし４のいずれか１つに記載の車両用空調装置。
【請求項６】
前記空調ケースのうち前記センサケースが取り付けられる部分には、前記空調ケースの外部から前記空調ケースの内部に前記空気を取り入れる検知部用空気取入口（１７０、１６２）が形成されており、
前記検知部用空気取入口の開度を調整するドア部材（２５０）を備えた請求項１ないし５のいずれか１つに記載の車両用空調装置。
【発明の詳細な説明】
【技術分野】
【０００１】
本発明は、粒子状物質の粒子濃度を検出する粒子検知部を備えた車両用空調装置に関するものである。
【背景技術】
【０００２】
従来、空気中の粒子を検出する装置として特許文献１に記載されたものがある。この装置は、空気通路を形成するハウジングと、ハウジング内に車室内の空気または車室外の空気を吸い込むエアモータと、を備えている。そして、ハウジング内に吸い込まれた空気に光を照射するとともに、光に当たって散乱した散乱光を受光することにより粒子の濃度を検出している。
【先行技術文献】
【特許文献】
【０００３】
【特許文献１】中国実用新案出願公開第２０３２８７３１２号明細書
【発明の概要】
【発明が解決しようとする課題】
【０００４】
上記特許文献１に記載された装置は、ハウジング内に空気を吸い込むエアモータの風量が小さいため、遠方の空気に含まれる粒子の濃度を精度良く検出することができない。例えば、車両のインストルメントパネルの内部にハウジングを配置して、シートに着座した乗員の体付近の空気に含まれる粒子の濃度を検出する構成とした場合、ハウジング内に乗員の体付近の遠方の空気を十分に吸い込むことができないので、粒子の濃度を精度良く検出することができないといった問題がある。また、エアモータの風量が小さいと、空気がハウジング内に到達する時間が長くなるため、応答性も良くないといった問題もある。
【０００５】
エアモータの吸込能力を大きくすれば、車両の乗員の体付近の空気をハウジング内に吸い込むことは可能であるが、エアモータの吸込能力を大きくすると、流速増加伴う乱流が発生してしまい、粒子の濃度を精度良く検出することができない。
【０００６】
本発明は上記問題に鑑みたもので、遠方の空気に含まれる粒子状物質の濃度をより精度良く、かつ、応答性良く検出できるようにすることを目的とする。
【課題を解決するための手段】
【０００７】
上記目的を達成するため、請求項１に記載の発明は、車両用空調装置であって、車室内に送風される空気が流れる空気通路を形成する空調ケース（１０１、１４０、１５０）と、空調ケースの内部に配置され、空調ケースの内部に空気を吸い込む送風機（１３０）と、空気に含まれる粒子状物質の粒子濃度を検出する粒子検知部（２００）と、を備え、粒子検知部は、空気に光を照射する発光部（２１０）と、発光部が照射した光が粒子状物質に当たって散乱した散乱光を受光する受光部（２２０）と、発光部および受光部を収納するセンサケース（２３０）を有し、センサケースには、送風機の作動によって空調ケースの内部に吸い込まれる空気の一部をセンサケースの内部に導入するセンサ導入口（２３１）が形成されている。
【０００８】
このような構成によれば、センサケースには、送風機の作動によって空調ケースの内部に吸い込まれる空気の一部をセンサケースの内部に導入するセンサ導入口（２３１）が形成されているので、遠方の空気に含まれる粒子状物質の濃度をより精度良く、かつ、応答性良く検出することができる。
【０００９】
なお、この欄および特許請求の範囲で記載した各手段の括弧内の符号は、後述する実施形態に記載の具体的手段との対応関係を示すものである。
【図面の簡単な説明】
【００１０】
【図１】第１実施形態に係る車両用空調装置を搭載した車両を模式的に示した図である。
【図２】第１実施形態に係る車両用空調装置の構成を模式的に示した図である。
【図３】第１実施形態に係る車両用空調装置の粒子検知部の外観図である。
【図４】粒子検知部の発光部と受光部を表した図である。
【図５】第１実施形態に係る車両用空調装置の送風機の作動時の空気の流れを示した図である。
【図６】第２実施形態に係る車両用空調装置の構成を模式的に示した図である。
【図７】第２実施形態に係る車両用空調装置の送風機の作動時の空気の流れを示した図である。
【図８】第２実施形態に係る車両用空調装置のフローチャートである。
【図９】第３実施形態に係る車両用空調装置の構成を模式的に示した図である。
【発明を実施するための形態】
【００１１】
以下、本発明の実施形態について図に基づいて説明する。なお、以下の各実施形態相互において、互いに同一もしくは均等である部分には、図中、同一符号を付してある。
【００１２】
（第１実施形態）
第１実施形態に係る車両用空調装置について図１〜図５を用いて説明する。本実施形態に係る車両用空調装置１０は、車両１に搭載される空調装置であって、車室内の空調を行うための装置である。図１〜図２に示されるように、車両用空調装置１０は、空調ユニット１００と、粒子検知部２００と、を備えている。車両用空調装置１０は、車両１のインストルメントパネル２の内側に配置される。粒子検知部２００は、車両１のシート３の着座した乗員の体付近の空気の粒子濃度を検出する。粒子検知部２００によって検出された粒子濃度の値は、例えば、メータ内に配置された表示部に表示される。
【００１３】
先ず、空調ユニット１００の構成について説明する。空調ユニット１００は車両用空調装置１０の主要部分であって、外部から取り込んだ空気の空調を行い、空調された空気を車室内に供給するものである。空調ユニット１００は、ブロア収納部１０１と、ブロア１３０と、接続部１４０と、空調部１５０と、を備えている。
【００１４】
ブロア収納部１０１は、車両用空調装置１０のうち外部からの空気を取り込む部分となっている。ブロア収納部１０１の内部には、後述のブロア１３０が収容されている。ブロア収納部１０１には、内気入口１１１と外気入口１１２とが形成されている。内気入口１１１は、車室内から導入される空気の入口として形成された開口である。外気入口１１２は、車両の外から導入される空気の入口として形成された開口である。車両の外の空間と外気入口１１２との間は、不図示のダクトによって接続されている。
【００１５】
ブロア収納部１０１のうち、内気入口１１１と外気入口１１２との間には、不図示の内外気切り換えドアが設けられている。内外気切り換えドアの動作によって、内気入口１１１から流入する空気と、外気入口１１２から流入する空気との比率が調整される。尚、このような内外気切り換えドアの構成としては公知のものを採用し得るので、その具体的な図示や説明については省略する。
【００１６】
ブロア収納部１０１のうち、空気の流れ方向に沿ってブロア１３０よりも上流側(図１では上方側)となる位置には、粒子フィルタ１２０が配置されている。粒子フィルタ１２０は、内気入口１１１や外気入口１１２から流入した空気から、粒子を除去するためのフィルタである。空気が粒子フィルタ１２０を通ることにより、粒子濃度の低減された清浄な空気が車室内に吹き出される。
【００１７】
ブロア１３０は、車室内に吹き出されるように空気を送り出す送風装置である。ブロア１３０は、空調ケースの内部に空気を吸い込む送風機に相当する。
【００１８】
ブロア１３０が駆動されると、内気入口１１１や外気入口１１２からブロア収納部１０１の内部に空気が引き込まれる。当該空気は、次に述べる接続部１４０および空調部１５０を通って車室内に吹き出される。
【００１９】
接続部１４０は、ブロア収納部１０１と空調部１５０との間を繋ぐ流路として設けられた部分である。本実施形態では、ブロア収納部１０１と接続部１４０とが一体に形成されている。
【００２０】
空調部１５０は、空気の温度調節を行う部分である。空調部１５０の内部には、空気の除湿および冷却を行うエバボレータ、空気の加熱を行うヒータコア、エバボレータおよびヒータコアのそれぞれを流れる空気の量を調整するエアミックスドア、等が配置されている。なお、ブロア収納部１０１、接続部１４０および空調部１５０は、車室内に送風する空気が流れる空気通路を形成する空調ケースに相当する。
【００２１】
空調部１５０のうち空気の流れ方向に沿って下流側となる部分には、デフロスタ吹き出し部１５１、フェイス吹き出し部１５２、およびフット吹き出し部１５３がそれぞれ設けられている。デフロスタ吹き出し部１５１は、車両の窓に向けて空調風を吹き出す部分である。フェイス吹き出し部１５２は、車両の乗員の顔に向けて空調風を吹き出す部分である。フット吹き出し部１５３は、車両の乗員の足元に向けて空調風を吹き出す部分である。
【００２２】
デフロスタ吹き出し部１５１、フェイス吹き出し部１５２、およびフット吹き出し部１５３のそれぞれには不図示のドアが設けられており、ドアの開度によってそれぞれの吹き出し部から吹き出される空気の流量が調整される。尚、以上に説明したような空調部１５０の構造としては公知のものを採用し得るので、その具体的な図示や説明については省略する。
【００２３】
図１に示されるように、ブロア収納部１０１のうち粒子フィルタ１２０の端部近傍となる位置には、空気導入室１６０が形成されている。空気導入室１６０は、空調ユニット１００の外側から、空調ユニット１００の内部(具体的にはブロア収納部１０１の内部)に導入される空気が流れる空間として形成されている。空気導入室１６０を流れる空気は、粒子フィルタ１２０を迂回して流れる。
【００２４】
空気導入室１６０のうち空気の入口となる開口１６１は、粒子フィルタ１２０や後述の粒子検知部２００よりも上方側となる位置に形成されている。開口１６１は、空調ユニット１００の周囲の空間と、空気導入室１６０との間を連通させるものである。空気導入室１６０のうち空気の出口となる開口１６２は、粒子フィルタ１２０よりも僅かに下方側となる位置に形成されている。開口１６２は、空気導入室１６０と、ブロア収納部１０１のうち粒子フィルタ１２０よりも下方側の空間との問を連通させるものである。開口１６２は、検知部用空気取入口に相当する。尚、上記のような開口１６１や開口１６２の位置はあくまで一例である。開口１６１や開口１６２は、それぞれ上記とは異なる位置に形成されていてもよい。
【００２５】
空調制御部４０について説明する。図１に示す空調制御部４０は、空調ユニット１００を制御する制御装置である。具体的に、空調制御部４０は、半導体メモリなどの非遷移的実体的記憶媒体で構成された記憶部とプロセッサとを含んだ電子制御装置である。空調制御部４０は、その記憶部に格納されたコンピュータプログラムを実行する。このコンピュータプログラムが実行されることで、コンピュータプログラムに対応する方法が実行される。
【００２６】
また、空調制御部４０は空調部１５０に含まれる各アクチュエータへ制御信号を出力することにより、各アクチュエータの作動を制御する。要するに、空調制御部４０は、空調部１５０に対して種々の空調制御を行う。例えば、上述したブロア１３０、内外気切替ドア、エアミックスドア、フェイス吹出開口部ドア、フット吹出開口部ドアおよびデフロスタ吹出開口部ドア（いずれも図示せず）は、空調制御部４０によって駆動制御される。
【００２７】
また、図１に示すように、空調制御部４０には、例えば、粒子検知部２００などのセンサ類やドア等のアクチュエータのほか、操作部４１および表示部４２が接続されている。
【００２８】
操作部４１は、空調部１５０から吹き出される空調風の風量や温度等を調整する際に乗員により操作される操作部である。操作部４１は、例えば車両のインストルメントパネルに配置されている。操作部４１では、例えば空調風の風量、車室内の目標室温、及び空調風の吹出口等を設定することができる。また、操作部４１では、空調風の風量調整、空調風の温度調整および内気循環または外気導入の選択が自動的に行われる自動空調モードを設定することもできる。操作部４１は、これらの設定を示す情報、すなわち操作装置４４に対して為された乗員操作を示す操作情報を、空調制御部４０に出力する。また、空調制御部４０は、粒子検知部２００の出力信号に基づいて車室内の空気中における粒子の濃度を算出し、算出した粒子の濃度を、例えば、メータ内に配置された表示部４２に表示させる処理も行う。
【００２９】
ブロア１３０が駆動されているときには、ブロア１３０の吸引力により、空気導入室１６０の空気は開口１６２を通ってブロア１３０側に排出される。これを補うように、外部の空気は開口１６１を通って空気導入室１６０に流入する。このため、本実施形態における空気導入室１６０の内部では、第１開口２３１よりも上方側となる位置（開口１６１）から下方側に向けて空気が流れることとなる。
【００３０】
ブロア収納部１０１は、車両のうちインストルメントパネルの内側に配置されている。インストルメントパネルの内側の空間、すなわち、空気導入室１６０の外側の空間は、車室内と繋がっている。このため、開口１６１から空気導入室１６０に流入する空気は、車室内の空気となっている。
【００３１】
図１に示されるように、空調ユニット１００のうち空気導入室１６０が形成されている部分は、粒子検知部２００が取り付けられる部分となっている。粒子検知部２００は、空気導入室１６０のうち側方の部分を形成するように、ブロア収納部１０１に対して外側から取り付けられている。粒子検知部２００の上端の位置は、開口１６１よりも低い位置となっている。
【００３２】
粒子検知部２００は、空気中における粒子の濃度を測定するためのセンサユニットである。粒子検知部２００は、図４に示すように、発光素子２１１を有する発光部２１０と、受光素子２２１を有する受光部２２０と、を有している。
【００３３】
発光部２１０から発せられた光の一部は、粒子検知部２００の内部に導入された空気中の粒子によって散乱され、更にその一部が受光部２２０によって検知される。粒子検知部２００は、受光部２２０によって検知された光の光量に基づいて、空気中における粒子の有無や濃度を検知するように構成されている。
【００３４】
粒子検知部２００は、図３に示されるようにセンサケース２３０を有している。センサケース２３０は、上記の発光部２１０、受光部２２０、センサブロワ２４０等を内部に収容する容器であって、略直方体状に形成されている。センサケース２３０のうち空気導入室１６０を形成する面には、第１開口２３１と第２開口２３２とがそれぞれ形成されている。
【００３５】
第１開口２３１は、空気導入室１６０からの空気が流入するように形成された開口である。第２開口２３２は、上記のように、空気導入室１６０へと空気を排出するために形成された開口である。本実施形態における第２開口２３２は、第１開口２３１よりも上方側となる位置に形成されている。
【００３６】
また、図５に示すように、粒子検知部２００は、センサケース２３０の内部に導入する空気の流量を調整するセンサブロワ２４０を有している。発光部２１０、受光部２２０およびセンサブロワ２４０は、センサケース２３０の内部に配置されている。
【００３７】
センサブロワ２４０は、後述する空調制御部４０からの指示に応じて動作する。センサブロワ２４０は、空気導入室１６０を流れる空気を第１開口２３１からセンサケース２３０の内部に吸い込む。センサブロワ２４０の最大吸込能力は、ブロア１３０の最大吸込能力よりも小さくなっている。
【００３８】
粒子検知部２００は、第１開口２３１を通ってセンサケース２３０の内側へと流入した空気中における粒子の濃度を測定する。当該空気は、既に述べたように車室内の空気である。センサケース２３０に吸い込まれた空気は、第２開口２３２から空気導入室１６０へと排出される。
【００３９】
ところで、センサブロワ２４０の吸込能力を大きくすれば、車両の乗員の体付近の空気を速やかにセンサケース２３０内に吸い込むことが可能である。しかし、センサブロワ２４０の吸込能力を大きくすると、流速増加伴う乱流が発生してしまい、粒子の濃度を精度良く検出することができない。
【００４０】
そこで、本実施形態の車両用空調装置１０は、吸込能力の大きなブロア１３０の作動によってブロア収納部１０１の内部に吸い込まれる空気の一部をセンサケース２３０内に導入するセンサ導入口を有している。このセンサ導入口は、第１開口２３１に相当する。
【００４１】
ここで、内外気切り換えドアの動作によって、内気入口１１１からブロア収納部１０１に車室内の内気が導入されるようになっているものとする。ブロア１３０が作動を開始すると、図５に示すように、内気入口１１１から粒子フィルタ１２０およびブロア収納部１０１を通って内気がブロア１３０に吸い込まれる。
【００４２】
この際、ブロア収納部１０１の内部に吸い込まれる空気の一部が空気導入室１６０に流入する。そして、空気導入室１６０に流入した空気の一部が第１開口２３１からセンサケース２３０内に導入される。粒子検知部２００は、第１開口２３１を通ってセンサケース２３０の内側へと流入した空気中における粒子の濃度を測定する。
【００４３】
したがって、センサブロワ２４０の吸込能力を大きくすることなく、シートに着座した乗員の体付近の遠方の空気に含まれる精度良く、かつ、応答性良く粒子の濃度を検出することが可能となる。
【００４４】
なお、センサケース２３０に吸い込まれた空気は、第２開口２３２から空気導入室１６０へと排出され、ブロア１３０に吸い込まれる。
【００４５】
本実施形態の車両用空調装置１０は、さらに、センサブロワ２４０の作動によっても、空気導入室１６０からセンサケース２３０内に空気が導入される。すなわち、本実施形態の車両用空調装置１０は、ブロア１３０の作動に加えてセンサブロワ２４０の作動によっても、空気導入室１６０からセンサケース２３０内に空気が導入される。したがって、乱流を発生させることなく、精度良く、かつ、応答性良く粒子の濃度を検出することができる。
【００４６】
ところで、内外気切り換えドアの動作によって内気入口１１１からブロア収納部１０１の内部に車室内の内気が導入されるようになっていても、車両の走行速度が速いと車両に設けられたファイヤーウォールの隙間等から車室内に多くの外気が入り込んでしまう。
【００４７】
そこで、本実施形態の空調制御部４０は、車両の走行速度が速くなるほど、ブロア収納部１０１の内部に吸い込まれる空気の流量を多くするようブロア１３０を制御する。これにより、乗員の体付近の空気がセンサケース２３０に導入されやすくなるため、精度良く乗員の体付近の空気中における粒子の濃度を検出することができる。
【００４８】
また、車格によってブロア１３０の吸込能力は異なる。このため、本実施形態の空調制御部４０は、ブロア１３０の吸込能力の小さな車両では、ブロア１３０の吸込能力の大きな車両と比較して、よりセンサケース２３０に導入される空気の流量を多くするようセンサブロワ２４０を制御する。
【００４９】
また、車両１のシート３の位置が車両前方にある場合、乗員の体によって車両用空調装置１０に向かって流れる空気流が遮られやすい。このため、本実施形態の空調制御部４０は、シート３の位置を示す信号に基づいて車両１のシート３の位置が所定位置より車両前方にあることを判定した場合、よりブロア収納部１０１の内部に吸い込まれる空気の流量をより多くするようブロア１３０を制御する。
【００５０】
また、フェイス吹き出し部１５２から空気を送風するフェイスモード、主としてフット吹き出し部１５３から空気を送風するフットモード等のモードによって車室内の空気の流れが異なる。このため、本実施形態の空調制御部４０は、モードに応じてセンサケース２３０に導入される空気の流量が適量となるようセンサブロワ２４０を制御する。
【００５１】
また、フェイス吹き出し部１５２を閉じるドアがフェイス吹き出し部１５２を閉じているか否かによって車室内の空気の流れが異なる。このため、本実施形態の空調制御部４０は、フェイス吹き出し部１５２を閉じるドアがフェイス吹き出し部１５２を閉じているか否かを示す信号に応じてセンサケース２３０に導入される空気の流量が適量となるようセンサブロワ２４０を制御する。
【００５２】
また、空調ケースの空気流路を左右に区切り、右側空気流路と左側空気流路からそれぞれ吹き出される吹出空気の温度を独立して制御する左右独立温度制御方式の車両用空調装置では、右側空気流路と左側空気流路から吹き出される空気の風量が異なる。このため、本実施形態の空調制御部４０は、右側空気流路と左側空気流路からそれぞれ吹き出される吹出空気の風量に応じてセンサケース２３０に導入される空気の流量が適量となるようセンサブロワ２４０を制御する。
【００５３】
また、シートに埋設されたシート空調装置からシートに着座した乗員の体に向けて空調風を吹き出すことにより空調を行う車両では、車室内の空気に対流が生じやすい。このため、本実施形態の空調制御部４０は、シート空調装置が作動していない場合には、シート空調装置が作動している場合と比較して。センサケース２３０に導入される空気の流量がより多くなるようセンサブロワ２４０を制御する。
【００５４】
また、車両の後席用に配置されたリア空調装置から後席の乗員の体に向けて冷風を吹き出すことにより空調を行う車両では、車室内の空気に対流が生じやすい。このため、本実施形態の空調制御部４０は、リア空調装置が作動していない場合には、シート空調装置が作動している場合と比較して。センサケース２３０に導入される空気の流量がより多くなるようセンサブロワ２４０を制御する。
【００５５】
以上、説明したように、本実施形態の車両用空調装置は、車室内に送風される空気が流れる空気通路を形成する空調ケース１０１、１４０、１５０と、空調ケース１０１、１４０、１５０の内部に配置され、空調ケース１０１、１４０、１５０の内部に空気を吸い込むブロア１３０と、を備えている。
【００５６】
さらに、空気に含まれる粒子状物質の粒子濃度を検出する粒子検知部２００を備えている。また、粒子検知部２００は、空気に光を照射する発光部２１０と、発光部２１０が照射した光が粒子状物質に当たって散乱した散乱光を受光する受光部２２０と、発光部２１０および受光部２２０を収納するセンサケース２３０を有している。
【００５７】
そして、センサケース２３０には、ブロア１３０の作動によって空調ケース１０１、１４０、１５０の内部に吸い込まれる空気の一部をセンサケース２３０の内部に導入するセンサ導入口としての第１開口２３１が形成されている。
【００５８】
このような構成によれば、センサケース２３０には、ブロア１３０の作動によって空調ケース１０１、１４０、１５０の内部に吸い込まれる空気の一部をセンサケース２３０の内部に導入するセンサ導入口としての第１開口２３１が形成されているので、遠方の空気に含まれる粒子状物質の濃度をより精度良く、かつ、応答性良く検出することができる。
【００５９】
また、粒子検知部２００は、空調ケース１０１、１４０、１５０の内部に吸い込まれる空気の一部をセンサ導入口としての第１開口２３１を介してセンサケース２３０の内部に吸い込むセンサブロワ２４０を有している。
【００６０】
したがって、センサブロワ２４０の吸い込みによって、さらに、空調ケース１０１、１４０、１５０の内部に吸い込まれる空気の一部をセンサケース２３０の内部に導入することが可能である。
【００６１】
また、センサブロワ２４０は、センサケース２３０の内部に配置されている。このように、センサケース２３０の内部に配置されたセンサブロワ２４０によって、空調ケース１０１、１４０、１５０の内部に吸い込まれる空気の一部をセンサケース２３０の内部に導入することができる。
【００６２】
また、空調ケース１０１、１４０、１５０のうちセンサケース２３０が取り付けられる部分には、空調ケース１０１、１４０、１５０の外側から空調ケース１０１、１４０、１５０の内部に導入される空気が流れる空間である空気導入室１６０が形成されている。そして、センサブロワ２４０は、空気導入室１６０を流れる空気の一部をセンサケース２３０の内部に吸い込む。
【００６３】
このように、空気導入室１６０を流れる空気の一部をセンサケース２３０の内部に吸い込むようにセンサブロワ２４０を設けることができる。
【００６４】
（第２実施形態）
第２実施形態に係る車両用空調装置について図６〜図８を用いて説明する。上記第１実施形態の車両用空調装置１０は、ブロア収納部１０１のうち粒子フィルタ１２０の端部近傍となる位置に空気導入室１６０が形成され、この空気導入室１６０を流れる空気の一部が粒子検知部２００のセンサケース２３０に導入されるようになっている。
【００６５】
これに対し、本実施形態の車両用空調装置１０は、ブロア収納部１０１に空気導入室１６０が形成されておらず、粒子検知部２００は、内気入口１１１に導入される空気の一部が粒子検知部２００のセンサケース２３０に導入されるようになっている。
【００６６】
図７に示すように、粒子検知部２００は、センサケース２３０の内部に導入する空気の流量を調整するセンサブロワ２４０を有している。センサブロワ２４０は、センサケース２３０の内部に配置されている。なお、図７中には示してないが、発光部２１０および受光部２２０についてもセンサケース２３０の内部に配置されている。
【００６７】
センサブロワ２４０は、後述する空調制御部４０からの指示に応じて動作する。センサブロワ２４０は、内気入口１１１に導入される内気の一部を第１開口２３１からセンサケース２３０の内部に吸い込む。センサブロワ２４０の最大吸込能力は、ブロア１３０の最大吸込能力よりも小さくなっている。
【００６８】
粒子検知部２００は、第１開口２３１を通ってセンサケース２３０の内側へと流入した空気中における粒子の濃度を測定する。当該空気は、既に述べたように車室内の空気である。センサケース２３０の内部に吸い込まれた空気は、第２開口２３２からセンサケース２３０の外部に排出される。
【００６９】
本実施形態の空調制御部４０は、ブロア１３０の送風風量に応じてセンサブロワ２４０の風量を調整する処理を実施する。この処理のフローチャートを図８に示す。空調制御部４０は、周期的に図８に示す処理を実施する。
【００７０】
まず、空調制御部４０は、Ｓ１００にて、ブロア１３０の送風風量が閾値以上であるか否かを判定する。具体的には、ブロア１３０に供給する電圧に基づいてブロア１３０の送風風量を推定し、この送風風量が閾値以上であるか否かを判定する。
【００７１】
ここで、ブロア１３０の送風風量が閾値以上であると判定された場合、空調制御部４０は、Ｓ１０２にて、センサブロワ２４０の風量を低下させる。これにより、センサケース２３０内に過剰な空気が導入されるのを防止することができる。
【００７２】
また、ブロア１３０の送風風量が閾値未満であると判定された場合、空調制御部４０は、Ｓ１０４にて、センサブロワ２４０の風量を増加させる。これにより、センサケース２３０内に適量の空気を導入することが可能となる。
【００７３】
本実施形態では、上記第１実施形態と共通の構成から奏される同様の効果を上記第１実施形態と同様に得ることができる。
【００７４】
また、本実施形態の車両用空調装置１０は、送風機の送風風量が閾値以上であるか否かを判定する風量判定部（Ｓ１００）を備えている。また、風量判定部により送風機の送風風量が閾値以上であると判定された場合、センサブロワの吸い込み風量を低下させ、風量判定部により送風機の送風風量が閾値未満であると判定された場合、センサブロワの吸い込み風量を増加させる風量調整部（Ｓ１０２、Ｓ１０４）を備えている。
【００７５】
このように、風量判定部により送風機の送風風量が閾値以上であると判定された場合、センサブロワの吸い込み風量を低下させ、風量判定部により送風機の送風風量が閾値未満であると判定された場合、センサブロワの吸い込み風量を増加させることができる。
【００７６】
（第３実施形態）
第３実施形態に係る車両用空調装置について図９を用いて説明する。本実施形態の車両用空調装置１０は、ブロア収納部１０１のうち粒子フィルタ１２０の端部近傍となる位置にブロア収納部１０１の外側からブロア収納部１０１の内部に空気を取り入れる検知部用空気取入口１７０が形成され、この検知部用空気取入口１７０を流れる空気の一部が粒子検知部２００のセンサケース２３０に導入されるようになっている。
【００７７】
また、本実施形態の車両用空調装置１０は、検知部用空気取入口１７０の開度を調整する開閉ドア２５０を備えている。開閉ドア２５０は、ドア部材に相当する。
【００７８】
空調制御部４０は、センサブロワ２４０によってセンサケース２３０に導入される空気の流量を調整するともに、開閉ドア２５によってブロア収納部１０１の外部からブロア収納部１０１の内部に導入される空気の流量を調整することが可能となっている。
【００７９】
ドア部材２５０が検知部用空気取入口１７０を開いている場合、粒子フィルタ１２０を通らない空気が検知部用空気取入口１７０を通って空調部１５０に導入されるが、ドア部材２５０によって第１開口２３１を閉じることで、粒子フィルタ１２０を通らない空気が検知部用空気取入口１７０を通って空調部１５０に導入しないようにすることができる。
【００８０】
本実施形態では、上記第１実施形態と共通の構成から奏される同様の効果を上記第１実施形態と同様に得ることができる。
【００８１】
また、空調ケース１０１、１４０、１５０のうちセンサケース２３０が取り付けられる部分には、空調ケース１０１、１４０、１５０の外部から空調ケース１０１、１４０、１５０の内部に空気を取り入れる検知部用空気取入口１７０が形成されている。そして、車両用空調装置１０は、検知部用空気取入口１７０の開度を調整するドア部材２５０を備えている。
【００８２】
このように、検知部用空気取入口１７０の開度を調整するドア部材２５０を備えることで、検知部用空気取入口１７０を通ってブロア収納部１０１の内部に空気が導入されないようにすることができる。
【００８３】
（他の実施形態）
（１）上記各実施形態では、センサブロワ２４０をセンサケース２３０の内部に配置したが、センサブロワ２４０をセンサケース２３０の外部に配置してもよい。例えば、センサブロワ２４０を空気導入室１６０に配置して、空調ケースの外側から空気導入室１６０に空気を吸い込むようにしてもよい。
【００８４】
（２）上記第３実施形態の車両用空調装置は、検知部用空気取入口１７０の開度を調整する開閉ドア２５０を備えたが、例えば、上記第１実施形態の車両用空調装置についても、開口１６２の開度を調整する開閉ドアを備えるようにしてもよい。
【００８５】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００８６】
（まとめ）
上記各実施形態の一部または全部で示された第１の観点によれば、車両用空調装置は、車室内に送風される空気が流れる空気通路を形成する空調ケースと、空調ケースの内部に配置され、空調ケースの内部に空気を吸い込む送風機と、を備えている。さらに、空気に含まれる粒子状物質の粒子濃度を検出する粒子検知部を備えている。また、粒子検知部は、空気に光を照射する発光部と、発光部が照射した光が粒子状物質に当たって散乱した散乱光を受光する受光部と、発光部および受光部を収納するセンサケースを有している。そして、センサケースには、送風機の作動によって空調ケースの内部に吸い込まれる空気の一部をセンサケースの内部に導入するセンサ導入口が形成されている。
【００８７】
また、第２の観点によれば、粒子検知部は、空調ケースの内部に吸い込まれる空気の一部をセンサ導入口を介してセンサケースの内部に吸い込むセンサブロワを有している。
【００８８】
したがって、センサブロワの吸い込みによって、さらに、空調ケースの内部に吸い込まれる空気の一部をセンサケースの内部に導入することが可能である。
【００８９】
また、第３の観点によれば、また、センサブロワは、センサケースの内部に配置されている。このように、センサケースの内部に配置されたセンサブロワによって、空調ケースの内部に吸い込まれる空気の一部をセンサケースの内部に導入することができる。
【００９０】
また、第４の観点によれば、空調ケースのうちセンサケースが取り付けられる部分には、空調ケースの外側から空調ケースの内部に導入される空気が流れる空間である空気導入室が形成されている。そして、センサブロワは、空気導入室を流れる空気の一部をセンサケースの内部に吸い込む。
【００９１】
このように、空気導入室を流れる空気の一部をセンサケースの内部に吸い込むようにセンサブロワを設けることができる。
【００９２】
また、第５の観点によれば、車両用空調装置は、送風機の送風風量が閾値以上であるか否かを判定する風量判定部を備えている。また、風量判定部により送風機の送風風量が閾値以上であると判定された場合、センサブロワの吸い込み風量を低下させ、風量判定部により送風機の送風風量が閾値未満であると判定された場合、センサブロワの吸い込み風量を増加させる風量調整部を備えている。
【００９３】
このように、風量判定部により送風機の送風風量が閾値以上であると判定された場合、センサブロワの吸い込み風量を低下させ、風量判定部により送風機の送風風量が閾値未満であると判定された場合、センサブロワの吸い込み風量を増加させることができる。
【００９４】
また、第６の観点によれば、空調ケースのうちセンサケースが取り付けられる部分には、空調ケースの外部から空調ケースの内部に空気を取り入れる検知部用空気取入口が形成されている。そして、車両用空調装置は、検知部用空気取入口の開度を調整するドア部材を備えている。
【００９５】
このように、検知部用空気取入口の開度を調整するドア部材を備えることで、検知部用空気取入口を通ってブロア収納部の内部に空気が導入されないようにすることができる。
【００９６】
なお、上記実施形態における構成と特許請求の範囲の構成との対応関係について説明すると、第１開口２３１がセンサ導入口に相当し、検知部用空気取入口１７０および開口１６２が検知部用空気取入口に相当し、Ｓ１００の処理が風量判定部に相当し、Ｓ１０２、Ｓ１０４の処理が風量調整部に相当する。
【符号の説明】
【００９７】
１０  車両用空調装置
１００  空調ユニット
１０１  ブロワ収納部
１３０  ブロア
１６０  空気導入室
１７０  検知部用空気取入口
２００  粒子検知部
２１０  発光部
２２０  受光部
２３０  センサケース
２５０  ドア部材
【図１】
2020100209.tif 000003
【図２】
2020100209.tif 000004
【図３】
2020100209.tif 000005
【図４】
2020100209.tif 000006
【図５】
2020100209.tif 000007
【図６】
2020100209.tif 000008
【図７】
2020100209.tif 000009
【図８】
2020100209.tif 000010
【図９】
2020100209.tif 000011